(57)【要約】【課題】各脚部を容易に折りたたみ、伸展させることが可能な折りたたみ脚付き支持体を提供する。【解決手段】折りたたみ式三脚１は、スタンド基部２、スタンド基部２に開閉可能に設けられた複数の脚部４、スタンド基部２の軸方向に沿って移動可能に設けられたスライドリング５、およびスライドリング５と各脚部４とを連結する複数の連結リンク杆６を備えてなる。各脚部４は第１脚部４１および第２脚部４２により構成され、各連結リンク杆６は第１リンクバー６１および第２リンクバー６２により構成される。スタンド基部２、脚部４、スライドリング５および連結リンク杆６によりリンク機構を構成し、スタンド基部２に沿ってスライドリング５を移動させることにより、各脚部４が、スライドリング５の移動に従って、閉脚位置と開脚位置との間を変位するように構成する。【選択図】図３
2015068474.tif 000002
【特許請求の範囲】
【請求項１】
支柱部と、
前記支柱部に開閉可能に設けられた複数の脚部と、
前記支柱部の軸方向に沿って移動可能に設けられた移動部と、
前記移動部と各々の前記脚部とを連結する複数の連結杆部と、を備え、
各々の前記脚部は、
長さ方向の一端部が前記支柱部に軸支され、前記支柱部の中心軸を含む平面に沿って前記支柱部に対し揺動可能な第１脚部と、
長さ方向の一端部が前記第１脚部の他端部に軸支され、前記平面に沿って前記第１脚部の揺動方向とは逆向きに前記第１脚部に対し揺動可能な第２脚部と、を有し、
前記支柱部と、前記移動部と、前記連結杆部と、各々の前記脚部における前記第１脚部および前記第２脚部とによりリンク機構を構成し、前記支柱部に沿って前記移動部を移動させることにより、前記複数の脚部が、前記移動部の移動に従って、閉脚位置と開脚位置との間を変位するように構成したことを特徴とする折りたたみ脚付き支持体。
【請求項２】
各々の前記連結杆部は、
長さ方向の一端部が前記移動部に軸支され、長さ方向の中間部が前記第１脚部における前記第２脚部との軸支点から所定長離れた位置に軸支された、前記平面に沿って変位可能な第１連結杆部と、
長さ方向の一端部が前記第２脚部における前記第１脚部との軸支点から所定長離れた位置に軸支された、前記平面に沿って変位可能な第２連結杆部と、を有し、
前記第１連結杆部の長さ方向の他端部と前記第２連結杆部の長さ方向の他端部とが、相対的に回転可能に連結されてなる、ことを特徴とする請求項１に記載の折りたたみ脚付き支持体。
【請求項３】
各々の前記脚部が前記閉脚位置と前記開脚位置との間を変位する際に、前記第１連結杆部の前記他端部と前記第２連結杆部の前記他端部との連結点の位置が、前記第１連結杆部の長さ方向および前記第２連結杆部の長さ方向のいずれかの方向に沿ってスライド移動可能に構成されていることを特徴とする請求項２に記載の折りたたみ脚付き支持体。
【請求項４】
各々の前記脚部が開脚する際に、前記第２脚部が前記第１脚部に対し平行に伸展するときの揺動角度を超えて前記第１脚部に対し揺動することを規制する揺動規制部が、前記第１脚部および前記第２脚部の少なくとも一方に設けられていることを特徴とする請求項３に記載の折りたたみ脚付き支持体。
【請求項５】
前記閉脚位置は、前記第１脚部が前記支柱部の中心軸に対し平行となり、かつ前記第２脚部が前記第１脚部に対し平行に屈曲する位置であり、
前記開脚位置は、前記第１脚部が前記支柱部の中心軸に対し所定の角度をなして開き、かつ前記第２脚部が前記第１脚部に対し平行に伸展する位置である、ことを特徴とする請求項１から４のいずれか一項に記載の折りたたみ脚付き支持体。
【請求項６】
各々の前記脚部が前記閉脚位置に変位したときに、前記第１脚部および前記第２脚部の一方の内側に他方が収納されるように構成されていることを特徴とする請求項１から５のいずれか一項に記載の折りたたみ脚付き支持体。
【発明の詳細な説明】
【技術分野】
【０００１】
本発明は、照明機や標識等の所定の物体を支持する際に用いられる三脚等の支持体に関し、特に、建設・土木工事現場やイベント催場などの夜間照明用に使用されるバルーン照明機の支持用として好適な折りたたみ脚付き支持体に関する。
【背景技術】
【０００２】
従来、道路等の新設、修復工事等の現場やイベント催場において、目に優しい照明光が得られる照明バルーンを備えたバルーン照明機が使用されている。バルーン照明機に用いられる照明バルーンは、ＬＥＤや電球等の光源を内部に有する伸縮自在なバルーンを有して構成され、光源からの光をバルーンに照射、透過させることによって発光するようになっている。光源からの光がバルーンを透過する際に拡散されるため、眩しさが抑えられた目に優しい照明を行うことができる（例えば、下記特許文献１を参照）。
【０００３】
このようなバルーン照明機を所望の位置に設置するために、複数の脚部を備えた支持体（以下「脚付き支持体」と称する）が用いられている。この脚付き支持体には、バルーン照明機を安定して支持し得るように、使用時（設置時）においては複数の脚部を大きく伸展し得るとともに、未使用時には容易に運搬できるようにコンパクトに収納し得ることが求められる。このため、従来の脚付き支持体は、各脚部を取り外せたり折りたたんだり伸縮させたりできるように構成されている。
【先行技術文献】
【特許文献】
【０００４】
【特許文献１】特開２００６−１２０５１４号公報
【発明の概要】
【発明が解決しようとする課題】
【０００５】
しかしながら、各脚部を取り外せるようにしたものは、取り外した脚部や取り付け用の部品を紛失しないように管理しなければならないという煩雑さを有しており、また、設置時に各脚部を取り付けるのに時間を要するため、バルーン照明機を緊急に設置する必要があるような場合には不向きであった。
【０００６】
一方、各脚部を折りたたんだり伸縮させたりできるようにしたものは、収納時に取り外す部品が少ないので部品管理は容易となる。しかし、これまでの折りたたみ式または伸縮式の脚付き支持体は、各脚部を開閉する作業（伸展・縮退作業）や、各脚部を所定長または所定角度において固定する作業を、脚部ごとに別々に行う必要があり、作業性の面において改善の余地があった。
【０００７】
本発明は、このような事情に鑑みてなされたものであり、各脚部を容易に折りたたみ、伸展させることが可能な折りたたみ脚付き支持体を提供することを目的とする。
【課題を解決するための手段】
【０００８】
上記目的を達成するため本発明に係る折りたたみ脚付き支持体は、以下の特徴を備えている。なお、以下の特徴構成の説明では、後述する実施形態において対応する構成の一例を括弧書きで示しているが、具体的な態様がそれに限定されるものではない。
【０００９】
本発明に係る折りたたみ脚付き支持体は、支柱部（例えば、スタンド基部２）と、支柱部に開閉可能に設けられた複数の脚部と、支柱部の軸方向に沿って移動可能に設けられた移動部（例えば、スライドリング５）と、移動部と各々の脚部とを連結する複数の連結杆部（例えば、連結リンク杆６Ａ〜６Ｃ）と、を備え、各々の脚部は、長さ方向の一端部が支柱部に軸支され、支柱部の中心軸を含む平面に沿って支柱部に対し揺動可能な第１脚部と、長さ方向の一端部が第１脚部の他端部に軸支され、前記平面に沿って第１脚部の揺動方向とは逆向きに第１脚部に対し揺動可能な第２脚部と、を有し、支柱部と、移動部と、連結杆部と、各々の脚部における第１脚部および第２脚部とによりリンク機構を構成し、支柱部に沿って移動部を移動させることにより、複数の脚部が、移動部の移動に従って、閉脚位置と開脚位置との間を変位するように構成したことを特徴とする。
【００１０】
このような特徴構成を有する折りたたみ脚付き支持体によれば、支柱部に沿って移動部を移動させることにより、支柱部、移動部および連結杆部と共にリンク機構を構成する複数の脚部を、一度に、開脚位置と閉脚位置との間で変位させることができる。したがって、複数の脚部の開閉作業（伸展・折りたたみ作業）を容易かつ短時間で行うことが可能となる。
【００１１】
また、上述の折りたたみ脚付き支持体において、各々の連結杆部は、長さ方向の一端部が移動部に軸支され、長さ方向の中間部が第１脚部における第２脚部との軸支点から所定長離れた位置に軸支された、前記平面に沿って変位可能な第１連結杆部（例えば、第１リンクバー６１）と、長さ方向の一端部が第２脚部における第１脚部との軸支点から所定長離れた位置に軸支された、前記平面に沿って変位可能な第２連結杆部（例えば、第２リンクバー６２）と、を有し、第１連結杆部の長さ方向の他端部と第２連結杆部の長さ方向の他端部とが、相対的に回転可能に連結されてなるように構成することが好ましい。
【００１２】
この態様の折りたたみ脚付き支持体によれば、連結杆部の構成を簡易化することが可能となる。
【００１３】
さらに、上述の折りたたみ脚付き支持体において、各々の脚部が前記閉脚位置と前記開脚位置との間を変位する際に、第１連結杆部の前記他端部と第２連結杆部の前記他端部との連結点の位置が、第１連結杆部の長さ方向および第２連結杆部の長さ方向のいずれかの方向に沿ってスライド移動可能に構成されていることが好ましい。
【００１４】
この態様の折りたたみ脚付き支持体によれば、移動部の移動に従動して、第１脚部および第２脚部が開脚位置と閉脚位置との間で変位する際に、第１連結杆部の、第２連結杆部との連結点から第１脚部との軸支点までの距離、または第２連結杆部の、第１連結杆部との連結点から第２脚部との軸支点までの距離を変化させることができる。したがって、開脚位置と閉脚位置との間を変位する際の第１脚部および第２脚部の各揺動角度範囲を十分に確保しつつ、第１脚部および第２脚部をスムーズに変位させることが可能となる。
【００１５】
また、上述の折りたたみ脚付き支持体において、各々の脚部が開脚する際に、第２脚部が第１脚部に対し平行に伸展するときの揺動角度を超えて第１脚部に対し揺動することを規制する揺動規制部が、第１脚部および第２脚部の少なくとも一方に設けられている、とすることが好ましい。
【００１６】
この態様の折りたたみ脚付き支持体によれば、揺動規制部より第２脚部が第１脚部に対し平行に伸展した状態を維持しつつ、第１脚部の支柱部に対する揺動角度を変化させることができるので、第１脚部の支柱部に対する揺動角度に応じて開脚状態の形態を変化させる（開脚位置を複数設定する）ことが可能となる。
【００１７】
さらに、上述の折りたたみ脚付き支持体において、前記閉脚位置は、第１脚部が支柱部の中心軸に対し平行となり、かつ第２脚部が第１脚部に対し平行に屈曲する位置であり、前記開脚位置は、第１脚部が支柱部の中心軸に対し所定の角度をなして開き、かつ第２脚部が第１脚部に対し平行に伸展する位置である、とすることが好ましい。
【００１８】
この態様の折りたたみ脚付き支持体によれば、開脚位置においては、各々の脚部を大きく伸展させることが可能となり、閉脚位置においては、各々の脚部をコンパクトに折りたたむことが可能となる。
【００１９】
さらに、上述の折りたたみ脚付き支持体において、各々の脚部が閉脚位置に変位したときに、第１脚部および第２脚部の一方の内側に他方が収納されるように構成することが好ましい。
【００２０】
この態様の折りたたみ脚付き支持体によれば、閉脚位置において、各々の脚部をさらにコンパクトに折りたたむことが可能となる。
【発明の効果】
【００２１】
本発明に係る折りたたみ脚付き支持体によれば、上述の特徴構成を備えていることにより、各脚部を容易に折りたたみ、伸展させることが可能となる。
【図面の簡単な説明】
【００２２】
【図１】本発明の一実施形態に係る折りたたみ脚付き支持体（折りたたみ式三脚）の全体構成を示す図である。
【図２】上記折りたたみ脚付き支持体において、各脚部が閉脚位置に位置する状態を示す図である。
【図３】上記折りたたみ脚付き支持体において、各脚部が閉脚位置から開脚位置に変位する過程の第１の位置に位置する状態を示す図である。
【図４】上記折りたたみ脚付き支持体において、各脚部が閉脚位置から開脚位置に変位する過程の第２の位置に位置する状態を示す図である。
【図５】上記折りたたみ脚付き支持体において、各脚部が閉脚位置から開脚位置に変位する過程の第３の位置に位置する状態を示す図である。
【図６】上記折りたたみ脚付き支持体において、各脚部が開脚位置に位置する状態を示す図である。
【発明を実施するための形態】
【００２３】
以下、本発明の実施形態について上記図面を参照しながら説明する。図１は、本発明に係る折りたたみ脚付き支持体を、バルーン照明機を支持する折りたたみ式三脚１として構成した場合の実施形態を示している。
【００２４】
図１に示す折りたたみ式三脚１は、円筒状に形成されたスタンド基部２と、スタンド基部２の図中下端部に固設された脚支持部３と、スタンド基部２の周方向に所定角度（本実施形態では１２０度）をおいて配置された、複数（本実施形態では３本）の折りたたみ可能な脚部４Ａ，４Ｂ，４Ｃと、スタンド基部２に対しスタンド基部２の軸方向（図中上下方向）に移動可能に取り付けられたスライドリング５と、各脚部４Ａ，４Ｂ，４Ｃとスライドリング５とをそれぞれ連結する連結リンク杆６Ａ，６Ｂ，６Ｃと、を主体として構成される。
【００２５】
一方、図１に示すバルーン照明機７は、照明バルーン８とポール部９とを主体に構成される。照明バルーン８は、薄い可撓性の材料からなる膨張可能なバルーン８０と、このバルーン８０内の中央に配設された照明装置（図示略）と、バルーン８０を膨張、収縮させるバルーン膨張・収縮装置（図示略）とを備えてなる。バルーン８０内の照明装置は、ＬＥＤ等の光源を有してなり、電気ケーブル８１、スイッチボックス８２等を介して、発電機等の電源部（図示略）に接続されている。
【００２６】
上記ポール部９は、第１ポール９１と、第１ポール９１内に出入り自在に挿嵌された第２ポールと、第２ポール９２内に出入り自在に挿嵌された第３ポール９３とを主体に構成され、この第３ポール９３の図中上端部に、上述の照明バルーン８が連結されるように構成されている。
【００２７】
第１ポール９１は、上述のスタンド基部２と同じ径寸法を有しており、スタンド基部２の上端部に固設された連結環部１１を介して、スタンド基部２の上端部に連結されるように構成されている。詳細構成の説明は省略するが、連結環部１１は、スタンド基部２の外径と同じ内径寸法を有するとともに、一部分が弾性変形して、連結環部１１内に挿嵌された第１ポール９１の外周面と当接し得るように構成されている（以下、この弾性変形可能な部分を「変形当接部」と称する）。また、変形当接部には、当該変形当接部を弾性変形させるために操作されるクランプ具１２が設けられている。第１ポール９１は、その下端部が連結環部１１内に挿嵌されることにより、スタンド基部２の上端部により下方側より支持され、さらに、クランプ具１２によって弾性変形した変形当接部により、外周面が径方向外側から当接されることによって、連結環部１１に固定保持されるようになっている。
【００２８】
第２ポール９２は、第１ポール９１の上端部に設けられたロックネジ９４を緩めることにより、第１ポール９１内からの自身の突出長を変更し得るとともに、任意の突出長においてロックネジ９４を締めることにより、第１ポール９１に対して固定されるように構成されている。同様に、第３ポール９３は、第２ポール９２の上端部に設けられたロックネジ９５を緩めることにより、第２ポール９２内からの自身の突出長を変更し得るとともに、任意の突出長においてロックネジ９５を締めることにより、第２ポール９２に対して固定されるように構成されている。
【００２９】
以下、主に図２〜６を参照して、上述した折りたたみ式三脚１の詳細構成および脚部４Ａ，４Ｂ，４Ｃの開閉動作について説明する。なお、脚部４Ａ，４Ｂ，４Ｃは、互いに同じ構成を有しており、連結リンク杆６Ａ，６Ｂ，６Ｃも、互いに同じ構成を有している。このため、以下の説明においては、脚部４Ａ，４Ｂ，４Ｃを区別せず、これらを総称して、適宜「脚部４」と称することとする。同様に、連結リンク杆６Ａ，６Ｂ，６Ｃを区別せず、これらを総称して、適宜「連結リンク杆６」と称することとする。なお、図２〜６には、脚部４Ａ，４Ｂ，４Ｃのうち、脚部４Ａと脚部４Ｃのみを図示しており、スタンド基部２、脚支持部３、脚部４Ａおよびスライドリング５は、それらの断面を図示している。
【００３０】
〈折りたたみ式三脚の詳細構成〉
まず、主に図３を参照して、折りたたみ式三脚１の詳細構成を説明する。図３に示すように、折りたたみ式三脚１の各脚部４は、第１脚部４１と第２脚部４２とを有してなる。第１脚部４１は、その長さ方向の一端部（基端部）が（詳しくはこの一端部に形成された軸支片４１ａにおいて）ピン１３Ａを介して脚支持部３に軸支されており、この軸支点を中心として、スタンド基部２の中心軸Ｃを含む平面（図示略）に沿って揺動可能に構成されている。一方、第２脚部４２は、その長さ方向の一端部がピン１３Ｂを介して第１脚部４１の他端部に軸支されており、この軸支点を中心として、第１脚部４１の揺動方向とは逆向きに（第１脚部４１が時計方向に揺動するときは反時計方向に、第１脚部４１が反時計方向に揺動するときは時計方向に）、上記平面に沿って揺動可能に構成されている。
【００３１】
また、第１脚部４１はその長さ方向全長に亘って断面コ字状に形成されており、その図中上側の側面には、脚部４が開閉する際に、連結リンク杆６が通過する孔部４１ｂ（幅が狭い部分と広い部分とからなる）が形成されている。さらに、第１脚部４１の長さ方向の他端部（第２脚部４２との軸支点を越えて延設された部分）は、第２脚部４２が所定角度（第２脚部４２が第１脚部４１に対し平行に伸展するときの揺動角度（１８０度））を超えて第１脚部４１に対し揺動することを規制する揺動規制部４１ｄとして構成されている。
【００３２】
一方、第２脚部４２はその長さ方向全長のうち、先端から所定長の部分は強度を増すために断面ロ字状に形成され、他の部分は断面コ字状に形成されている。また、脚部４が折りたたまれた状態においては、第１脚部４１の内側に第２脚部４２が収納されるように構成されている（図２参照）。
【００３３】
各連結リンク杆６は、図３に示すように、第１リンクバー６１と第２リンクバー６２とを有してなる。第１リンクバー６１は、その長さ方向の一端部がピン１３Ｃを介してスライドリング５（詳しくはスライドリング５の軸支片５２）に軸支され、その長さ方向の中間部が第１脚部４１の長さ方向の中央近傍部に（詳しくはこの中央近傍部に形成された軸支片４１ｃにおいて）、ピン１３Ｄを介して軸支されている。
【００３４】
一方、第２リンクバー６２は、その一端部が第２脚部４２の長さ方向の所定位置（第１脚部４１に対する第２脚部４２の軸支点から所定長離れた位置）に、ピン１３Ｅを介して軸支されている。また、第２リンクバー６２は、その長さ方向の中間部（先端から全長の１／３程度の距離をおいた位置）において、先端側の部分が基端側の部分に対して第１脚部４１の方へ少し屈曲しており、この先端側の部分に、長孔６２ａが形成されている。そして、第１リンクバー６１の先端部と第２リンクバー６２の先端側の部分とは、長孔６２ａに係合するピン１３Ｆを介して相対的に回転可能に、かつピン１３Ｆの位置が長孔６２ａに沿って移動可能に連結されている。なお、ピン１３Ｆは、長孔６２ａに対して基本的には摺動するように構成されているが、自身が回転することも許容されている。
【００３５】
スライドリング５は、図３に示すように、円環状に形成されたリング基部５１と、リング基部５１の周方向に所定角度（１２０度）をおいて配置された３つの軸支片５２（１つのみを図示）と、リング基部５１の周面の所定位置において径方向に突出するように形成された円筒状の係止レバー支持部５３と、係止レバー支持部５３により支持される係止レバー５４と、を備えて構成される。係止レバー５４は、係止レバー支持部５３内に挿通される円柱状のピン部５４ａと、ピン部５４ａの基端部においてピン部５４ａの軸方向に対して垂直に配されたレバー部５４ｂとを有してなる。係止レバー５４のピン部５４ａは、係止レバー支持部５３内において当該ピン部５４ａと係止レバー支持部５３との間に配置されたコイルバネ等の付勢手段（図示略）によって、係止レバー支持部５３内に進入する方向に付勢されており、後述する、スタンド基部２に形成された係止孔２１ａ〜２１ｄの位置にスライドリング５を移動させると、上記付勢手段による付勢力によって、ピン部５４ａの先端部が係止孔２１ａ〜２１ｄ内に進入するように構成されている。
【００３６】
スライドリング５は、リング基部５１内に挿通されるスタンド基部２の軸方向（図中上下方向）に移動し得るように、スタンド基部２に装着される。スタンド基部２の周面の所定位置には、複数（本実施形態では４個）の係止孔２１ａ〜２１ｄが形成されており、スライドリング５を係止孔２１ａ〜２１ｄのいずれかの位置に移動させ、係止レバー５４のピン部５４ａの先端部を係止孔２１ａ〜２１ｄ内に進入させることにより、スライドリング５をその位置において係止（固定）し得るように構成されている。
【００３７】
本実施形態の折りたたみ式三脚１においては、スタンド基部２と、脚支持部３を介してスタンド基部２に軸支された各脚部４（第１脚部４１および第２脚部４２）と、スタンド基部２の軸方向に移動可能なスライドリング５と、各脚部４とスライドリング５とを連結する連結リンク杆６（第１リンクバー６１および第２リンクバー６２）とによりリンク機構が構成されており、スタンド基部２の軸方向に沿ってスライドリング５を移動させることにより、各脚部４が、スライドリング５の移動に従って、閉脚位置と開脚位置との間を変位するようになっている。以下、この折りたたみ式三脚１による作用（脚部４の開閉動作）について説明する。
【００３８】
〈折りたたみ式三脚の脚部の開閉動作〉
図２は、折りたたみ式三脚１の各脚部４が閉脚位置にあるときの状態（各脚部４が折りたたまれて折りたたみ式三脚１が最もコンパクトになる状態）を示している。このとき、スライドリング５は、スタンド基部２の上端部に位置し、各脚部４の第１脚部４１は、スタンド基部２の中心軸Ｃと略平行となる（厳密には、第１脚部４１の先端側が僅かにスタンド基部２の径方向外側に傾く）姿勢をとる。また、第２脚部４２は、第１脚部４１に対し略平行となる（厳密には、第２脚部４２の先端側が僅かに第１脚部４１よりも外側に開く）ように屈曲して第１脚部４１の内側に収納される姿勢をとる。
【００３９】
さらに、このとき、各連結リンク杆６の第１リンクバー６１は、スタンド基部２に対する脚部４（第１脚部４１および第２脚部４２）の位置よりもスタンド基部２に近い位置において、スタンド基部２の中心軸Ｃと略平行となる（厳密には、第１リンクバー６１の先端側が僅かにスタンド基部２の径方向外側に傾く）姿勢をとる。また、第２リンクバー６２は、その基端側の部分が、第１脚部４１と重なる第２脚部４２の内側に収納されるとともに、その先端側の部分が、第１脚部４１の孔部４１ｂを通って、第１脚部４１および第２脚部４２の内側からスタンド基部２が位置する側へと延出する姿勢をとる。また、第１リンクバー６１と第２リンクバー６２との連結点（ピン１３Ｆ）は、第２リンクバー６２の長孔６２ａ内の先端部に位置する。
【００４０】
なお、スライドリング５をスタンド基部２の上端部に位置させた際に、係止レバー５４のピン部５４ａの先端部を係止孔２１ａ内に進入させることにより、各脚部４を図２に示す閉脚位置に保持することができる。この状態は、折りたたみ式三脚１を収納、運搬するときの標準状態となる。
【００４１】
図２に示す状態から、係止レバー５４を操作して、そのピン部５４ａの先端部を係止孔２１ａから退出させ、さらに、スライドリング５をスタンド基部２の下端側に移動させることにより、各脚部４を、図３、４、５に示すように、徐々に開脚・伸展させながら、図６に示す開脚位置まで変位させることができる。その際、第１脚部４１、第２脚部４２、第１リンクバー６１および第２リンクバー６２は概ね次のように動作する。
【００４２】
すなわち、第１リンクバー６１は、スライドリング５の下方への移動に従って、スライドリング５との軸支点（ピン１３Ｃ）を下方に移動させつつ、この軸支点を中心として、徐々にスタンド基部２に対する揺動角度を増大させていく。そして、この第１リンクバー６１の変位に応じて第１脚部４１は、スタンド基部２との軸支点（ピン１３Ａ）を中心として、徐々にスタンド基部２に対する揺動角度を増大させスタンド基部２に対し開脚していく。また、第２リンクバー６２は、スライドリング５に従動する第１リンクバー６１および第１脚部４１の変位に応じて、第１脚部４１に対する相対位置および第１リンクバー６１に対する揺動角度を変えながら徐々に変位する。
【００４３】
すなわち、図２に示す状態では、第１脚部４１の孔部４１ｂを通って、第１脚部４１の内側からスタンド基部２が位置する側へと延出していた第２リンクバー６２の先端部は、図３に示す状態に移る間に、孔部４１ｂを通って、第１脚部４１を挟んでスタンド基部２が位置する側とは反対側に移動する（この間に、第１リンクバー６１の先端側の部分も同様に移動する）。また、スタンド基部２に対する第１リンクバー６１および第１脚部４１の揺動角度の増大に応じて、第１リンクバー６１に対する第２リンクバー６２の揺動角度が増大する。
【００４４】
さらに、第２脚部４２は、第１リンクバー６１、第１脚部４１および第２リンクバー６２の変位に応じて、第１脚部４１との軸支点（ピン１３Ｂ）を中心に、第１脚部４１に対する揺動角度を変えながら、第１脚部４１に対し平行に屈曲した状態（図２参照）から、第１脚部４１に対し平行に伸展した状態（図６参照）まで変位する。
【００４５】
なお、スライドリング５、第１脚部４１、第２脚部４２、第１リンクバー６１および第２リンクバー６２が上述のように変位する際に、第１リンクバー６１と第２リンクバー６２との連結点（ピン１３Ｆ）は、第２リンクバー６２の長孔６２ａ内を移動し、この移動に応じて、第２リンクバー６２の、第１リンクバー６１との連結点（ピン１３Ｆ）から、第２脚部６２との連結点（ピン１３Ｅ）までの距離（以下、適宜「第２リンクバー６２の有効長」と称する）が変化する。
【００４６】
すなわち、第１リンクバー６１と第２リンクバー６２との連結点（ピン１３Ｆ）は、図２に示す状態から図３に示す状態を経て図４に示す状態に至るまでは、長孔６２ａの先端側から基端側へと移動し、この間、第２リンクバー６２の有効長は徐々に短くなる。また、上記連結点（ピン１３Ｆ）は、図４に示す状態から図５に示す状態を経て図６に示す状態に至るまでは、長孔６２ａの基端端側から先端側の方へと若干移動し、この間、第２リンクバー６２の有効長は徐々に長くなる。
【００４７】
また、このように第２リンクバー６２の有効長が変化することにより、図２に示す状態から図６に示す状態に至るまで第１脚部４１および第２脚部４２をスムーズに変位させることが可能となるとともに、スタンド基部２に対する第１リンクバー６１の揺動角度範囲に比して、スタンド基部２に対する第１脚部４１の揺動角度範囲および第１脚部４１に対する第２脚部４２の揺動角度範囲を大きくすることが可能となっている。
【００４８】
スライドリング５を、図６に実線で示す位置、すなわち、スライドリング５の係止レバー支持部５３がスタンド基部２の下から３番目の係止孔２１ｂと対向する位置に移動させると、各脚部４は、スタンド基部２に対する第１脚部４１の揺動角度（開き角度）が９０度を超える状態となるとともに、第１脚部４１に対する第２脚部４２の揺動角度が１８０度となって、第２脚部４２が第１脚部４１に対し平行に伸展する状態となる（この状態の第１脚部４１および第２脚部４２の位置を「第１開脚位置」と称する）。このとき、第２脚部４２は第１脚部４１の揺動規制部４１ｄに当接し、これにより、第１脚部４１に対しそれ以上揺動することが規制される。
【００４９】
スライドリング５を、さらに、係止レバー支持部５３がスタンド基部２の下から２番目の係止孔２１ｃと対向する位置に移動させると、各脚部４は、第１脚部４１に対する第２脚部４２の揺動角度が１８０度となる状態を維持したまま、スタンド基部２に対する第１脚部４１の揺動角度が、上記第１開脚位置のときよりも大きくなる状態（図６において２点鎖線により概略位置を示す）に変位する（この状態の第１脚部４１および第２脚部４２の位置を「第２開脚位置」と称する）。このとき、第１リンクバー６１と第２リンクバー６２との連結点（ピン１３Ｆ）は、上記第１開脚位置のときよりも長孔６２ａの基端側に移動し、これに伴い、第２リンクバー６２が、上記第１開脚位置のときよりも第１脚部４１に近づく位置に変位する。
【００５０】
スライドリング５を、さらに、係止レバー支持部５３がスタンド基部２の一番下の係止孔２１ｄと対向する位置に移動させると、各脚部４は、第１脚部４１に対する第２脚部４２の揺動角度が１８０度となる状態を維持したまま、スタンド基部２に対する第１脚部４１の揺動角度が、上記第２開脚位置のときよりも大きくなる状態（図６において２点鎖線により概略位置を示す）に変位する（この状態の第１脚部４１および第２脚部４２の位置を「第３開脚位置」と称する）。このとき、第１リンクバー６１と第２リンクバー６２との連結点（ピン１３Ｆ）は、上記第２開脚位置のときよりもさらに長孔６２ａの基端側に移動し、これに伴い、第２リンクバー６２が、上記第２開脚位置のときよりも第１脚部４１に近づく位置に変位する。
【００５１】
なお、各脚部４を上述の第１開脚位置乃至第３開脚位置のいずれかに変位させた際に、スライドリング５における係止レバー５４のピン部５４ａの先端部を係止孔２１ｂ〜２１ｄ内に進入させることにより、各脚部４を第１開脚位置乃至第３開脚位置のいずれかに保持することができる。この状態は、折りたたみ式三脚１を設置し、上述のバルーン照明機７を支持するときの標準状態となる（第１開脚位置乃至第３開脚位置は、設置面の状況やバルーン照明機７の設置高さ等に応じて適宜選択することが可能）。
【００５２】
各脚部４を第１開脚位置乃至第３開脚位置のいずれかから閉脚位置に変位させる場合は、係止レバー５４によるスライドリング５のスタンド基部２への係止を解除して、スライドリング５をスタンド基部２の上端部へ移動させればよい。その際の各脚部４および各連結リンク杆６の動作は上述の開脚時の説明から明らかであるので、詳細説明は省略する。
【００５３】
以上のような構成の折りたたみ式三脚１によれば、各脚部４を、閉脚位置から開脚位置までスムーズに変位させることができるので、各脚部４を、容易かつ短時間で折りたたみ、伸展させることができる。また、第１脚部４１および第２脚部４２の揺動角度範囲を大きくとることができるので、閉脚位置においては、各脚部４をコンパクトに折りたたむことが可能となるとともに、開脚位置においては、各脚部４をスタンド基部２に対して大きく伸展させることが可能となる。このため、この折りたたみ式三脚１は、設置時および収納時における作業性に優れるとともに、持ち運びもし易く、かつバルーン照明機７を安定して支持することが可能である。
【００５４】
なお、上述の実施形態においては、本発明の折りたたみ脚付き支持体を、３本の脚部４を有する折りたたみ式三脚１として構成しているが、折りたたみ脚の数は２以上であれば任意に設定し得る。例えば、２本の折りたたみ脚を有し、支柱部の下端部を固定式の第３の脚として利用する態様が挙げられる（使用時は、２本の折りたたみ脚を開脚・伸展し、支柱部を鉛直方向に対し少し傾けた状態で設置する）。
【００５５】
また、上述の実施形態では、各脚部４が第１脚部４１と第２脚部４２とにより構成されているが、第２脚部４２の先端部に第２脚部４２の揺動方向とは逆向きに揺動する第３脚部を設けるとともに、この第３脚部と第２脚部４２とを別のリンクバーにより連結し、スライドリング５の動作に応じて、第１乃至第３脚部が連動して開閉するように構成してもよい。
【００５６】
また、上述の実施形態では、第２リンクバー６２に長孔６２ａを形成し、第１リンクバー６１と第２リンクバー６２との連結点（ピン１３Ｆ）が第２リンクバー６２の長さ方向に移動し得るように構成しているが、第１リンクバー６１に長孔を形成し、第１リンクバー６１と第２リンクバー６２との連結点が第１リンクバー６１の長さ方向に移動し得るように構成してもよい。
【００５７】
また、上述の実施形態では、第２脚部４２の揺動を規制する揺動規制部４１ｄが第１脚部４１に設けられているが、揺動規制部を第２脚部４２に設けることや、第１脚部４１と第２脚部４２の両方に設けることも可能である。
【００５８】
また、本発明の折りたたみ脚付き支持体は、バルーン照明機以外の種々の物体を支持する支持体として構成することができる。例えば、バルーン照明機以外の照明機、案内板や交通標識、カメラや測量機等の光学機器を支持するように構成したり、自転車を整備する際のバイクスタンドとして構成したりすることが挙げられる。
【００５９】
また、上述した実施形態や変更態様における各構成および従来の技術として述べた各構成は、適宜組み合わせて用いることが可能である。
【符号の説明】
【００６０】
１  折りたたみ式三脚（折りたたみ脚付き支持体）
２  スタンド基部
４（４Ａ，４Ｂ，４Ｃ）  脚部
５  スライドリング
６（６Ａ，６Ｂ，６Ｃ）  連結リンク杆
７  バルーン照明機
１３Ａ〜１３Ｆ  ピン
４１  第１脚部
４１ｄ  揺動規制部
４２  第２脚部
６１  第１リンクバー
６２  第２リンクバー
６２ａ  長孔
【図１】
2015068474.tif 000003
【図２】
2015068474.tif 000004
【図３】
2015068474.tif 000005
【図４】
2015068474.tif 000006
【図５】
2015068474.tif 000007
【図６】
2015068474.tif 000008